(57)【要約】【課題】ローラ状の操作つまみを回転操作して所定信号が得られる回転操作型電子部品に関し、操作つまみの径が細径化されたものであっても、容易に配設可能な節度発生機構が備えられたものを提供する。【解決手段】操作つまみ１１の節度発生機構３１として、左円形側部側に設けた凹部内に、コイルバネ３２を撓ませるようにして収容し、その付勢力で可動クリック体３３を、外方の固定クリック体３４に弾接させる構成とすることにより、操作つまみ１１が細径化されても、容易に配設可能で、しかも良好な節度感が長期に亘って維持できるものとなる。【選択図】図１
2005158328.tif 000002
【特許請求の範囲】
【請求項１】
外形が略円筒状で、右円形側部側に回転接点部等の回転機構部が配され、左円形側部側に節度発生機構が配されたローラ状の操作つまみを備えた回転操作型電子部品であって、上記節度発生機構は、コイルバネが、上記操作つまみ内の中間壁に対して上記操作つまみの回転中心軸線と同軸に撓んだ状態にして配され、そのコイルバネの付勢力で、上記操作つまみ内に収容状態で配した可動クリック体が上記左円形側部の端面側に付勢され、その可動クリック体が上記左円形側部の端面側に固定状態で配置された固定クリック体に弾接された構造をなし、上記コイルバネおよび上記可動クリック体は、上記操作つまみの回転に応じて同期回転し、その回転時に、上記可動クリック体の上記左円形側部の端面方向へ突出させて設けた凸部が、上記固定クリック体の上記中間壁方向に突出して設けた凸部上を乗り越え、その際の上記可動クリック体の上記回転中心軸線方向への移動に応じた上記コイルバネの撓み力を含んで節度感触として感じられるように構成された回転操作型電子部品。
【請求項２】
操作つまみの左円形側部側に配された凹部の内側壁に、上記操作つまみの回転中心軸線方向と平行に設けたガイド部を配すると共に、可動クリック体の外周部に、上記ガイド部と移動可能に係合する被ガイド部を構成し、上記被ガイド部が上記つまみのガイド部で案内されつつ上記可動クリック体が上記つまみ内を移動する請求項１記載の回転操作型電子部品。
【請求項３】
操作つまみ内の中間壁に、上記操作つまみの回転中心軸線と同軸で、左円形側部の端面側に突出するコイルバネ位置決め用の円錐部を配した請求項１記載の回転操作型電子部品。
【請求項４】
回転接点部は、操作つまみの右円形側部側に共回り可能に固定された接触刷子と、上記接触刷子が弾接する固定接点の配設部分外周を囲むようにＯリングが装着された接点基板とで構成され、上記Ｏリングが、上記操作つまみの右円形側部側に全周で弾接状態に構成された請求項１記載の回転操作型電子部品。
【請求項５】
操作つまみが、各々の円形側部側に配置された部材により、上記操作つまみの回転中心軸線上の位置を点嵌合状態で回転可能に保持された請求項１記載の回転操作型電子部品。
【請求項６】
可動クリック体と固定クリック体の凸部どうしが、異種の樹脂材料から形成されている請求項１記載の回転操作型電子部品。
【請求項７】
可動クリック体の凸部が、少なくとも３箇所以上の均等角度位置で配設された請求項１記載の回転操作型電子部品。
【発明の詳細な説明】
【技術分野】
【０００１】
本発明は、各種電子機器の入力操作部などに使用され、ローラ状の操作つまみを回転操作して所定信号が得られる回転操作型電子部品に関するものである。
【背景技術】
【０００２】
近年、各種電子機器は、表示部に各種メニューを表示させ、カーソル移動をさせつつ所望操作を行う形態のものが増え、その入力操作方法として、円板状やローラ状の回転部材を回転操作して行うものが増えている。
【０００３】
そして、そのローラ状の回転部材を備えた回転操作型電子部品は、親指などでの操作性に優れるため、例えば携帯機器の入力操作部として搭載されることが多くなっている。
【０００４】
以下に、上記従来のローラ状の回転部材を用いた回転操作型電子部品について、図１０〜図１２を用いて説明する。
【０００５】
図１０は従来のローラ状の回転部材を用いた回転操作型電子部品の概要を示す外観斜視図、図１１は同断面図、図１２は同分解斜視図である。
【０００６】
同図において、１は、外形が円柱ローラ状の操作つまみで、図１１に示すように、右円形側部側には、その右円形側部に設けた凹部内に共回り可能に装着された接触刷子３と、その接触刷子３の刷子部３Ａ先端が弾接する固定接点４を備えた接点基板５とでエンコーダなどの回転接点部２が構成されていると共に、上記回転接点部２の所定出力信号に同期する節度感触が得られるよう、その左円形側部側には、節度発生機構９が構成されている。
【０００７】
そして、節度発生機構９は、操作つまみ１の左円形側部に設けた凹部内に同期回転可能に装着された金属薄板製の節度バネ６と、その左円形側部の端面側に固定状態に配してある樹脂製の固定クリック体７から構成されている。
【０００８】
この節度バネ６は、平板状のバネ材を二重に折り返して構成され、その左円形側部の端面側に位置する板部分にダボ６Ａを有している。
【０００９】
そして、そのダボ６Ａが、固定クリック体７の凹凸部７Ａ上を弾接することにより、操作つまみ１の回転に同期した節度感触が得られるようになっている。
【００１０】
その節度感触と上記回転接点部２から得られる電気信号については、同期して得られる構成となっている。
【００１１】
そして、操作つまみ１は、回転接点部２の接点基板５と節度発生機構９の固定クリック体７とで、両側部側から回転可能に保持されている。
【００１２】
以上のように構成された従来のローラ状の回転部材を用いた回転操作型電子部品は、操作つまみ１を回転させて、回転接点部２から所定信号が得られると共に、その操作時に、節度発生機構９から所定の節度感触が得られるものであった。
【００１３】
なお、同図に示した構成のものは、操作つまみ１の回転操作に加え、押圧操作も可能なものであるため、その押圧操作時に接離するスイッチ８等も図示してあるが、その押圧操作に応じた構成部分や動作の説明などは省略する。
【００１４】
なお、この出願の発明に関連する先行技術文献情報としては、例えば、特許文献１が知られている。
【特許文献１】特開２００１−１４８２１９号公報
【発明の開示】
【発明が解決しようとする課題】
【００１５】
近年の機器の小型化、薄型化に伴い、それに搭載される従来の回転操作型電子部品も小型薄型化が要望され、操作つまみ１の小型細径化等が進みつつある。
【００１６】
このような中で、上記従来の回転操作型電子部品は、平板状のバネ材を折り返して形成した節度バネ６の一箇所のダボ６Ａで、樹脂から形成された凹凸部７Ａ上を弾接摺動させる節度発生機構９で節度を発生させていたが、当該節度発生機構９は、操作つまみ１が細径化されるにつれ、ダボ６Ａが構成された部分のバネ長が短くなり、バネ材の材厚を変えたり、バネ形状等を工夫して必要な弾接力を得るよう対応していた。
【００１７】
しかしながら、その設計対応などには時間がかかり、また、その対応にも限界があり、操作つまみ１の細径化等に拘らず容易に必要な弾接力が得られる新たな節度発生機構の構成が望まれていた。
【００１８】
本発明は、このような従来の課題を解決するものであり、操作つまみの径が細径化されたものであっても容易に配設できると共に、大きい弾接力での弾接状態が確保できて良好な節度感触が長期に亘って維持できる節度発生機構を備えた回転操作型電子部品を提供することを目的とする。
【課題を解決するための手段】
【００１９】
上記目的を達成するために本発明は、以下の構成を有するものである。
【００２０】
本発明の請求項１に記載の発明は、外形が略円筒状で、右円形側部側に回転接点部等の回転機構部が配され、左円形側部側に節度発生機構が配されたローラ状の操作つまみを備えた回転操作型電子部品であって、上記節度発生機構は、コイルバネが、上記操作つまみ内の中間壁に対して上記操作つまみの回転中心軸線と同軸に撓んだ状態にして配され、そのコイルバネの付勢力で、上記操作つまみ内に収容状態で配した可動クリック体が上記左円形側部の端面側に付勢され、その可動クリック体が上記左円形側部の端面側に固定状態で配置された固定クリック体に弾接された構造をなし、上記コイルバネおよび上記可動クリック体は、上記操作つまみの回転に応じて同期回転し、その回転時に、上記可動クリック体の上記左円形側部の端面方向へ突出させて設けた凸部が、上記固定クリック体の上記中間壁方向に突出して設けた凸部上を乗り越え、その際の上記可動クリック体の上記回転中心軸線方向への移動に応じた上記コイルバネの撓み力を含んで節度感触として感じられるように構成された回転操作型電子部品としたものである。この節度発生機構の構成であれば、細径化された操作つまみであっても、そのつまみの内部部分を長手方向で有効活用し、かつコイルバネの付勢力を用いてクリック体どうしの必要な弾接力が十分確保できる構造のものにでき、また、操作つまみの回転時にも上記コイルバネの付勢力によって上記状態が維持されつつ回転するものにできるため、凸部どうしが乗り越える際に、安定した節度感触が得られるものを実現できるという作用を有する。
【００２１】
しかも、コイルバネを用いて節度を発生させる構成であるため、クリック体の凸部どうしを樹脂で形成することも可能となり、当該樹脂どうしの弾接摺動構成とすると、摺動部分における磨耗等の発生も低減できて、長期に亘り軽快で歯切れの良い良好な節度感触が得られるものにできるという作用も得られる。
【００２２】
請求項２に記載の発明は、請求項１記載の発明において、操作つまみの左円形側部側に配された凹部の内側壁に、上記操作つまみの回転中心軸線方向と平行に設けたガイド部を配すると共に、可動クリック体の外周部に、上記ガイド部と移動可能に係合する被ガイド部を構成し、上記被ガイド部が上記つまみのガイド部で案内されつつ上記可動クリック体が上記つまみ内を移動するものであり、操作に応じて操作つまみ内を可動クリック体が移動する際、可動クリック体の傾倒等の防止が容易にでき、その内方側に配されたコイルバネのねじれ等も低減できるという作用を有する。
【００２３】
請求項３に記載の発明は、請求項１記載の発明において、操作つまみ内の中間壁に、上記操作つまみの回転中心軸線と同軸で、左円形側部の端面側に突出するコイルバネ位置決め用の円錐部を配したものであり、コイルバネの中心線と操作つまみの回転中心軸線とを一致させてコイルバネを操作つまみ内に容易に配設できるという作用を有する。
【００２４】
請求項４に記載の発明は、請求項１記載の発明において、回転接点部は、操作つまみの右円形側部側に共回り可能に固定された接触刷子と、上記接触刷子が弾接する固定接点の配設部分外周を囲むようにＯリングが装着された接点基板とで構成され、上記Ｏリングが、上記操作つまみの右円形側部側に全周で弾接状態に構成されたものであり、回転接点部の気密性が向上して防塵防滴性等に優れるものが得られるという作用を有する。
【００２５】
請求項５に記載の発明は、請求項１記載の発明において、操作つまみが、各々の円形側部側に配置された部材により、上記操作つまみの回転中心軸線上の位置を点嵌合状態で回転可能に保持されたものであり、操作つまみを面嵌合での保持状態ではなく、その両端共に点嵌合状態で保持する構成とすることにより、操作つまみの回転時に、回転むらの少ない安定した回転状態のものにできるという作用を有する。
【００２６】
請求項６に記載の発明は、請求項１記載の発明において、可動クリック体と固定クリック体の凸部どうしが、異種の樹脂材料から形成されているものであり、各クリック体が同種の樹脂材料であると、凸部どうしの摺接時に、きしみが発生し易いが、異種の樹脂材料とすることにより、上記きしみの発生が抑えられるという作用を有する。
【００２７】
請求項７に記載の発明は、請求項１記載の発明において、可動クリック体の凸部が、少なくとも３箇所以上の均等角度位置で配設されたものであり、可動クリック体の凸部が固定クリック体の凸部上を乗り越える回転時を含めて、可動クリック体が、固定クリック体に対し傾き難く安定的に支持されたものにできるという作用を有する。
【発明の効果】
【００２８】
以上のように本発明によれば、節度発生機構として、操作つまみ内に配したコイルバネで可動クリック体を外方側に付勢して固定クリック体に係合させる構成であるため、操作つまみの径が小さくなっても、クリック体どうしを容易に大きい弾接力で弾接させることができ、良好な節度感触が長期に亘って維持できる節度発生機構を備えた回転操作型電子部品を実現できるという有利な効果が得られる。
【発明を実施するための最良の形態】
【００２９】
以下、本発明の実施の形態について、図１〜図９を用いて説明する。
【００３０】
（実施の形態）
図１は本発明の一実施の形態による回転操作型電子部品の断面図、図２は同右方から見た分解斜視図、図３は同左方から見た分解斜視図、図４は同上面図、図５は同側面図、図６は同要部である回転接点部の接触刷子と固定接点との係合状態を示す平面図である。
【００３１】
同図において、１１は、左右各々の円形側部部分が、円形凹部状に構成された成形樹脂製の略円筒状の操作つまみで、その凹部の底部どうしの間は、中間壁１１Ａとして形成されている。
【００３２】
そして、その右円形側部側の凹部底部には、回転接点部２１の一部を構成する接触刷子２２が、操作つまみ１１と共回り可能に、円筒の中心軸線に合わせて固定されている。
【００３３】
なお、操作つまみ１１の右円形側部側の凹部の底部中心位置には、つまみ１１の中心軸線に合致するよう右中心軸１１Ｂが配されている。
【００３４】
そして、上記接触刷子２２は、弾性金属薄板から形成され、平板上の略リング状の刷子本体部２２Ａに、１２０°ピッチで、つまみ１１外方側に突出するように傾斜状態で折り曲げ形成された三組の刷子部２２Ｂを備え、その各先端は、操作つまみ１１の右円形側部側の凹部を塞ぐように固定状態で配置された接点基板２３の接点配設部２４面に弾接している。
【００３５】
その接点配設部２４の接触刷子２２との対向面には、固定接点２５が所定パターンで露出状態に配されている。
【００３６】
そして、図６の平面図に示すように、固定接点２５は、各々略扇状に形成されたコモン接点２５Ａと二つの信号接点２５Ｂが、互いに電気的独立状態で並設されて構成され、その上方を上記接触刷子２２の三組の刷子部２２Ｂが順次摺動していくことにより、コモン接点２５Ａと各信号接点２５Ｂの端子間から、位相のずれた矩形出力、すなわち二相のインクリメンタルエンコーダの出力が得られる構成となっている。
【００３７】
なお、同図においては、判り易くするため、固定接点２５の部分には斜線を付して図示している。
【００３８】
そして、接点配設部２４は、その外周全周に亘って設けた段部２４Ａに外形がＯ（オー）字状で断面円形に構成されたＯリング２６が嵌め込まれた状態で、操作つまみ１１の右円形側部側の凹部内に収納状態に配置され、かつ、その配置状態では、Ｏリング２６は、右円形側部側の凹部底面に弾接状態となっている。
【００３９】
なお、上記Ｏリング２６と右円形側部側の凹部底面との弾接状態は、操作つまみ１１の回転中も維持される。
【００４０】
このＯリング２６は、回転接点部２１内への粉塵や水分などの浸入を低減化させるために配したものであり、当該構成とすると、容易に回転接点部２１における気密性が向上して防塵防滴性等を向上できる。
【００４１】
一方、節度発生機構３１は、操作つまみ１１の左円形側部側の凹部内に収容されたコイルバネ３２と、同じく凹部内に収容された樹脂製の可動クリック体３３と、固定状態に配してある樹脂製の固定クリック体３４から構成されている。
【００４２】
その構成についてさらに詳細に説明すると、操作つまみ１１の左円形側部側の凹部内には、つまみ１１の回転中心軸線に同軸に、その底部から外方側に突出する円錐部１１Ｃが設けられていると共に、その円錐部１１Ｃ先端が、左中心軸１１Ｄとして構成されている。
【００４３】
そして、左側の凹部の底面と繋がる円錐部１１Ｃの根元部分の径は、コイルバネ３２の座の内径と同等、もしくはそれより若干大径に設定されている。
【００４４】
そして、この円錐部１１Ｄにコイルバネ３２が挿通されて、コイルバネ３２は、操作つまみ１１の中心軸と同軸に配されており、当該構成であれば、つまみ１１と同軸にコイルバネ３２を容易に位置決めすることができ、組込み工数なども少なくて済む。
【００４５】
なお、上記円錐部１１Ｃの根元部分の径が、コイルバネ３２の座の内径よりも若干大きい場合には、コイルバネ３２を円錐部１１Ｄに挿通させた後、上記コイルバネ３２の座が、左側の凹部の底面に当接するように圧入し、装着後のコイルバネ３２高さ位置を揃えると、節度感触がばらつかずに好ましい。
【００４６】
そして、このコイルバネ３２は、撓んだ状態で他端側の座が全周に亘って同じく凹部内に収容状態に配された可動クリック体３３に弾接し、そのコイルバネ３２の付勢力で、可動クリック体３３は、左側の凹部の開口方向に付勢されて、固定状態で配された固定クリック体３４に弾接している。
【００４７】
そして、この可動クリック体３３の外周部には、上下位置に各々被ガイド部として機能すべく構成された外周突起３３Ｂが配されている。
【００４８】
一方、その一対の外周突起３３Ｂに対応するガイド部として、操作つまみ１１の左円形側部側に配された凹部の内側壁に、操作つまみ１１の回転中心軸方向と平行な一対のガイド溝部１１Ｅが配され、各ガイド溝部１１Ｅ内に各外周突起３３Ｂが移動可能に係合している。
【００４９】
このとき、各々のガイド溝部１１Ｅは、操作つまみ１１の回転中心軸方向に平行に配されているので、可動クリック体３３は、外周突起３３Ｂがガイド溝部１１Ｅに案内されつつ、操作つまみ１１の回転中心軸方向に平行に移動可能となる。
【００５０】
そして、可動クリック体３３と固定クリック体３４との対向面には、各々凸部３３Ａ、３４Ａが当角度ピッチで配設されており、両者の凸部３３Ａまたは３４Ａ先端は、相手側の対向面に当接している。
【００５１】
なお、当該実施の形態によるものでは、凸部３３Ａを三箇所、凸部３４Ａを六箇所配設したものを図示しているが、各々少なくとも三箇所以上の当角度ピッチで配設してあれば、動作時を含んで可動クリック体３３が傾くこと等を防止できる。
【００５２】
なお、上記凸部３３Ａの各々は、側面視で、先端が所定径の円弧状に形成された略三角形状に構成されている。
【００５３】
また、上記凸部３４Ａの各々は、側面視で、先端側となる上辺に対し、底辺側が長い略台形形状で形成されている。
【００５４】
上記のように左右円形側部側に、回転接点部２１と節度発生機構３１とが各々配設された操作つまみ１１は、右中心軸１１Ｂと左中心軸１１Ｄとを、各々、接点基板２３の接点配設部２４の中心位置に配された右保持部２４Ｂと固定クリック体３４に設けた左保持部３４Ｂで回転可能に保持されている。
【００５５】
そして、上記固定クリック体３４と接点基板２３は、図２および図３に示すように、コの字状部材４１Ａとその開口部分を連結させる直線部材４１Ｂとにそれぞれ構成されており、そのコの字状部材４１Ａと直線部材４１Ｂとはカシメなどで結合されて上面視矩形状の枠体４１として構成されている（図４の上面図および図５の側面図参照）。
【００５６】
そして、上述したように操作つまみ１１は、そのコの字状部材４１Ａのアーム部どうしを繋ぐ部位の中央辺に配された固定クリック体３４と、直線部材４１Ｂの中央位置に配された接点基板２３との各部材によって、つまみ１１上方の所定量が枠体４１上に突出するように円形側部側から回転可能に保持されている。
【００５７】
そして、そのつまみ１１部分を除く枠体４１上には、金属薄板製のカバー４２が装着されている。
【００５８】
なお、カバー４２は、同図１〜図３中に示しているスナップ方式などで枠体４１に装着できる構成とすれば作業性に優れて好ましく、かつ、装着後にコの字状部材４１Ａとその開口部分を連結させる直線部材４１Ｂとの結合状態を維持させる部位を備える構成が好ましい。
【００５９】
そして、カバー４２は側方上方に突出形成された一対のアース板部４２Ａを備え、このアース板部４２Ａが、操作つまみ１１の左右の円形側部外方位置に配されるように装着されている。
【００６０】
また、カバー４２は、下方部分に端子部４２Ｂを備え、その端子部４２Ｂは使用機器のアース回路に半田付け固定可能に構成されている。
【００６１】
以上のように、本実施の形態による回転操作型電子部品は、構成されるものである。
【００６２】
次にその動作について説明すると、操作つまみ１１を回転操作すると、回転接点部２１、節度発生機構３１が同期して機能するようになる。
【００６３】
つまり、回転接点部２１は、接触刷子２２がつまみ１１と共回りして刷子部２２Ｂが接点配設部２４上を移動することにより、二相のインクリメンタルエンコーダ信号を発生させる。
【００６４】
一方、節度発生機構３１は、コイルバネ３２および可動クリック体３３がつまみ１１と共回りする。
【００６５】
なお、節度発生機構３１において、操作する前の状態としては、図７に示すように、可動クリック体３３は、つまみ１１の外方側にコイルバネ３２で付勢されているため、その凸部３３Ａが、固定状態にある固定クリック体３４の凸部３４Ａどうしの間に嵌まり込んで安定した停止状態となっている。
【００６６】
そして、上記つまみ１１への回転操作に伴い、可動クリック体３３は、図８に示すように、凸部３３Ａが固定クリック体３４の凸部３４Ａ上に乗り上げていき、コイルバネ３２をさらに撓ませるようにして回転していく。
【００６７】
すなわち、このとき固定クリック体３４は固定状態にあるため、可動クリック体３３は、つまみ１１のガイド溝部１１Ｅで外周突起３３Ｂが案内されつつ、つまみ１１の内部方向側に水平移動していく。
【００６８】
このガイド部分を構成することにより、可動クリック体３３の上記移動時における傾倒やこじり状態などの発生が低減され、その内部側に配されたコイルバネ３２のねじれ等も発生し難くできる。
【００６９】
また、凸部３３Ａ、３４Ａを各々三箇所以上の当角度ピッチで配設してあるため、上記動作中にも可動クリック体３３は固定クリック体３４に対し傾くこともない。
【００７０】
そして、上記可動クリック体３３のつまみ１１内への水平移動に伴ってコイルバネ３２の付勢力が増していき、これによって凸部３３Ａ、３４Ａどうし間の摺接力が大きくなる。
【００７１】
そして、さらに回転して凸部３３Ａ、３４Ａどうしの乗り越えが終わると、コイルバネ３２の付勢力によって可動クリック体３３は元の状態に復帰していくが、その付勢力が回転操作をも補助するように働くので、上記乗り越え後の摺接力は小さくなる。
【００７２】
このように、当該構成とすると、凸部３３Ａ、３４Ａどうしの乗り越えまではコイルバネ３２の付勢力を含んで重く、その後もコイルバネ３２の付勢力を含んで軽く感じられるものにでき、これが明快な節度となって感じられることとなり、また、樹脂製の凸部３３Ａ、３４Ａどうしを摺接させる構成であるため、磨耗なども少なく長期に亘って安定した節度感が得られるものとなる。
【００７３】
なお、必要とする節度感に対し、コイルバネ３２の線径、巻き数、材質など、また上記各凸部３３Ａと３４Ａの形状や配置位置・数などは、適宜設定すれば良い。
【００７４】
以上のように、本実施の形態による回転操作型電子部品は、操作つまみ１１の回転操作に同期した回転接点部２１からの電気信号、および節度発生機構３１からの節度感が得られるものにでき、特にその節度感触は明確なものが安定して長期に亘って得られるものにできる。
【００７５】
そして、その節度発生機構３１は、コイルバネ３２の付勢力を用いることが可能となるよう、コイルバネ３２等を操作つまみ１１内に収容した構成であるため、操作つまみ１１の内部領域を有効活用できると共に、細径化されたつまみ１１でも容易に配設可能である。
【００７６】
また、コイルバネ３２を用いて節度を発生させる構成であるため、クリック体３３、３４どうしの必要な弾接力が十分確保でき、しかもクリック体３３、３４の凸部３３Ａ、３４Ａどうしは樹脂製のものにすることもでき、当該樹脂どうしの弾接摺動構成とすると、摺動部分における磨耗などの発生も低減できて、長期に亘り軽快で歯切れの良い良好な節度感触が得られるものとなる。
【００７７】
なお、その樹脂で形成した凸部３３Ａ、３４Ａどうしの摺接時に、きしみが大きい場合には、異種の樹脂材料とすると、上記きしみの発生も抑えられる。
【００７８】
さらに、操作つまみ１１を回転可能に保持する部分として、図９の断面図に示すように、右中心軸１１Ｆおよび左中心軸１１Ｇにおいて、各先端側を円錐状に形成し、その各先端を、保持側部材の保持部としてすり鉢状に設けた右保持部５１Ａ、左保持部５１Ｂの最も深い底部位置にそれぞれ点嵌合状態で保持させるようにすると、面嵌合状態のものよりも、操作つまみ１１の回転時に回転むらが少なく、回転状態が安定したものとなる。
【００７９】
なお、上記には、当該節度発生機構３１を回転接点部２１と共に用いた事例を説明したが、当該節度発生機構３１を操作つまみ内に単独で配してもよく、また、回転接点部２１以外の回転機構部と共に用いてもよい。
【産業上の利用可能性】
【００８０】
本発明による回転操作型電子部品は、節度発生機構として、操作つまみ内に配したコイルバネで可動クリック体を外方側に付勢して固定クリック体に係合させる構成を備えているため、操作つまみの細径化等にも容易に対応でき、しかも良好な節度感触が長期に亘って維持できるものが得られるという効果を有し、各種電子機器の入力操作部などに使用されるローラ状の操作つまみを回転操作して所定信号が得られる回転操作型電子部品等に有用である。
【図面の簡単な説明】
【００８１】
【図１】本発明の一実施の形態による回転操作型電子部品の断面図
【図２】同右方から見た分解斜視図
【図３】同左方から見た分解斜視図
【図４】同上面図
【図５】同側面図
【図６】同要部である回転接点部の接触刷子と固定接点との係合状態を示す平面図
【図７】同要部である節度発生機構の安定状態を示す図
【図８】同要部である節度発生機構の動作中の状態を示す図
【図９】同要部である操作つまみの保持部分を他の構成とした断面図
【図１０】従来のローラ状の回転部材を用いた回転操作型電子部品の概要を示す外観斜視図
【図１１】同断面図
【図１２】同分解斜視図
【符号の説明】
【００８２】
１１  操作つまみ
１１Ａ  中間壁
１１Ｂ、１１Ｆ  右中心軸
１１Ｃ  円錐部
１１Ｄ、１１Ｇ  左中心軸
１１Ｅ  ガイド溝部
２１  回転接点部
２２  接触刷子
２２Ａ  刷子本体部
２２Ｂ  刷子部
２３  接点基板
２４  接点配設部
２４Ａ  段部
２４Ｂ、５１Ａ  右保持部
２５  固定接点
２５Ａ  コモン接点
２５Ｂ  信号接点
２６  Ｏリング
３１  節度発生機構
３２  コイルバネ
３３  可動クリック体
３３Ａ、３４Ａ  凸部
３３Ｂ  外周突起
３４  固定クリック体
３４Ｂ、５１Ｂ  左保持部
４１  枠体
４１Ａ  コの字状部材
４１Ｂ  直線部材
４２  カバー
４２Ａ  アース板部
４２Ｂ  端子部
【図１】
2005158328.tif 000003
【図２】
2005158328.tif 000004
【図３】
2005158328.tif 000005
【図４】
2005158328.tif 000006
【図５】
2005158328.tif 000007
【図６】
2005158328.tif 000008
【図７】
2005158328.tif 000009
【図８】
2005158328.tif 000010
【図９】
2005158328.tif 000011
【図１０】
2005158328.tif 000012
【図１１】
2005158328.tif 000013
【図１２】
2005158328.tif 000014